(57)【特許請求の範囲】
【請求項１】
医療用の主装置及び副装置に各々設けられた円筒周面を有する結合部と、
前記主装置及び副装置の前記結合部の前記円筒周面に対して各々嵌合する第１及び第２嵌合部を両端部に有する連結部材とを備え、
前記連結部材は、前記第１嵌合部の嵌合を介して前記主装置に回動可能に支持され、前記第２嵌合部の嵌合を介して前記副装置を回動可能に支持することで、前記連結部材を介して前記主装置に対して前記副装置を変位可能に支持するように構成され、
前記第１嵌合部の回動の中心軸と前記第２嵌合部の回動の中心軸とは、互いに平行であって、相互間に間隔を設けて上下方向に伸びるように配置され、
前記副装置の前記結合部は内側嵌合部により構成され、
前記第２嵌合部は、前記内側嵌合部の外側に嵌合する外側嵌合部により構成され、
貯血槽である前記主装置と人工肺である前記副装置とを連結することを特徴とする医療用装置の連結構造。
【請求項２】
前記副装置の前記結合部は、前記内側嵌合部の内側に間隙を形成して小径内筒部が設けられた二重円筒構造を有し、
前記連結部材の前記第２嵌合部は、前記外側嵌合部の内側に間隙を形成して大径内筒部が設けられた二重円筒構造を有し、
前記大径内筒部は、前記内側嵌合部と前記小径内筒部の間の間隙に進入して、前記小径内筒部の外周面に嵌合可能である請求項１に記載の医療用装置の連結構造。
【請求項３】
前記第２嵌合部には、前記内側嵌合部と前記外側嵌合部が嵌合した状態で、前記内側嵌合部の周壁との係合により両嵌合部の嵌合の脱離を規制する係止レバーが設けられており、
前記係止レバーは、前記外側嵌合部の中心軸方向に延在し、同方向における中間に位置する支軸部において前記外側嵌合部により支持されて、前記支軸部の周りに回動可能であり、
前記係止レバーの先端には係止爪が設けられ、前記内側嵌合部の周壁に設けられた係止凹部に前記係止爪が係合しており、その係合により、前記両嵌合部の嵌合の脱離を規制する作用が得られており、
前記係止レバーの後端には解放操作部が設けられ、前記解放操作部を前記外側嵌合部の径方向内方に向かって押圧して前記係止レバーを前記支軸部の周りに回動させることにより、前記外側嵌合部に対する前記内側嵌合部の嵌合を脱離させることが可能となる請求項１に記載の医療用装置の連結構造。
【請求項４】
前記連結部材は、前記第１嵌合部から横方向に延びた横方向延在部と、前記第２嵌合部から上方に延びて前記横方向延在部と結合した縦方向延在部と、前記横方向延在部と前記縦方向延在部が結合した部位に形成された屈曲構造部とを備えている請求項１に記載の医療用装置の連結構造。
【請求項５】
本体部の底面の中心から外れた一部が下方に突出した貯血室を有し、前記貯血室の下端に血液流出ポートが設けられ、前記本体部の上部に血液流入ポートが設けられた前記貯血槽と、
ガス流路と血液を交差させてガス交換を行うための血液流路を有し、前記貯血槽と連結された前記人工肺とが、
請求項１〜４のいずれかに記載の医療用装置の連結構造により支持され、
前記連結部材の前記第１嵌合部と結合する前記貯血槽の前記結合部は、前記本体部の底面の前記貯血室から隔たった位置に下方に突出して設けられ、
前記第２嵌合部と結合する前記人工肺の前記結合部は、前記人工肺の上部に設けられている体外循環処理装置。
【発明の詳細な説明】
【技術分野】
【０００１】
本発明は、医療用の主装置により副装置を支持させるための連結構造、例えば、貯血槽を主装置とし人工肺を副装置として、貯血槽により人工肺を支持させるための連結構造に関する。
【背景技術】
【０００２】
心臓手術においては、患者の心臓を停止させ、その間の呼吸及び循環機能を代行するために、人工心肺装置が用いられる。人工肺は、患者の肺に代わって血液に酸素を供給し、二酸化炭素を排出させる機能を提供して、体外血液循環を可能とする。また、体外血液循環では、血液ポンプを作動させて患者の静脈より脱血し、人工肺により酸素含有ガスと血液の間でガス交換を行なった後、再び患者の動脈に戻す操作が行なわれる。従って、体外血液循環を行うための血液回路には、人工肺とともに、回路内の血液量を調整し、返血量を一定に保つための緩衝機能が必要である。さらに、術野から血液を吸引し異物を瀘別除去した後、返血するラインも設けられる。そのため、脱血した血液を一時的に貯留し、また術野から吸引された血液を瀘過し一時的に貯留しておくための貯血槽が用いられる。
【０００３】
このように、体外血液循環のための血液回路においては、人工肺とともに貯血槽が用いられるのが一般的である。以下の記載において、人工肺と貯血槽とを含み体外血液循環回路中に用いられる装置を体外循環処理装置と称する。また、人工肺は、ガス交換を行うためのガス交換部を、血液の温度を調整するための熱交換器と一体化した構成とするのが一般的であるが、熱交換器を一体化することは必須ではない。以下の説明は、熱交換器を伴わずにガス交換部のみを備えた人工肺の場合についても、共通に適用される。
【０００４】
体外循環処理装置については、各機器の配置スペースを縮小し、また、チューブにより形成する血液回路内の血液充填量を低減させるために、人工肺と貯血槽間の距離を短くすることが望ましい。併せて、体外血液循環回路の組み立ての簡便性も考慮して、貯血槽と人工肺は、連結して一体化された状態で供給されるのが一般的である。一体化の形態としては、通常、貯血槽の底面下に人工肺を結合させた構造を取る。
【０００５】
ところで、貯血槽では、貯血量を常時監視する必要があるため、底面の血液出口周辺を下方に突出させ横断面積を小さくした視認部を正面側に設けて、貯血量の変化を視認し易くした構造が用いられる。このような貯血槽では、底面下に結合される人工肺は、貯血室の背面側に配置される。この構成の体外循環処理装置を手術中に使用する際には、操作者が貯血槽の貯血量を視認し易いように、貯血室を操作者の方へ向けて設置することを前提として、人工肺の配置及び姿勢を適宜調整する必要がある。
【０００６】
しかしながら、従来例の人工肺を一体化した貯血槽では、人工肺と貯血室を同時に、適切な配置に設定することは困難であった。このため、貯血室の向きと人工肺の設置を、それぞれ望ましい向きに設定することを可能とした人工肺一体型貯血槽が、特許文献１に開示されている。特許文献１では、貯血槽の底面と人工肺の上部とには、互いに接合させるための接合部が設けられ、その接合部により、人工肺と貯血槽とは相対的に回転可能となっている。
【０００７】
これにより、貯血室の背面側の貯血槽の底面下に、人工肺が回転可能に連結され、貯血室は操作者が視認し易い方向へ向けられる。しかも、人工肺は、血液ポンプ等と接続するためのチューブの配管効率を考慮して設置向きを適宜調整可能である。このように、貯血室を操作者へ向けた状態で、人工肺の設置向きを適宜調整することが可能となる。
【先行技術文献】
【特許文献】
【０００８】
【特許文献１】特開平５−３４５０１９号公報
【発明の概要】
【発明が解決しようとする課題】
【０００９】
特許文献１に開示された構成では、貯血槽の向きと人工肺の設置向きを共に所望の向きに設定することができるが、人工肺は、貯血槽との連結部を軸とする回動のみが可能であり、可動域が狭くレイアウトの自由度は低い。すなわち、貯血槽との連結部を軸とする回動により、人工肺の向きが可変であるだけであり、貯血槽に対する人工肺の位置は調整不能である。
【００１０】
また、連結部材を介して貯血槽により人工肺を支持させる連結構造では、連結部材と人工肺の結合部において、十分な支持力を得ることが困難である。何故ならば、人工肺は装置の寸法は概して小さいため、連結部材との結合部も小型にならざるを得ず、連結部材との間で支持力を発生させる係合部の面積が小さいからである。
【００１１】
以上のような問題は、人工肺と貯血槽の組合わせに限らず、主装置により副装置を変位可能に支持させて、連携させて用いる装置の組合わせ例は他にもあり、そのための医療用装置の連結構造について、上記と同様の問題が存在する。
【００１２】
従って本発明は、医療用の主装置に支持される副装置の位置関係及び姿勢の調整の自由度が高く、しかも副装置に対する支持力を十分に確保することが可能な医療用装置の連結構造を提供することを目的とする。
【００１３】
本発明はまた、そのような連結構造を用いた体外循環処理装置を提供することを目的とする。
【課題を解決するための手段】
【００１４】
上記課題を解決するために、本発明の医療用装置の連結構造は、医療用の主装置及び副装置に各々設けられた円筒周面を有する結合部と、前記主装置及び副装置の前記結合部の前記円筒周面に対して各々嵌合する第１及び第２嵌合部を両端部に有する連結部材とを備え、前記連結部材は、前記第１嵌合部の嵌合を介して前記主装置に回動可能に支持され、前記第２嵌合部の嵌合を介して前記副装置を回動可能に支持することで、前記連結部材を介して前記主装置に対して前記副装置を変位可能に支持するように構成され、前記第１嵌合部の回動の中心軸と前記第２嵌合部の回動の中心軸とは、互いに平行であって、相互間に間隔を設けて上下方向に伸びるように配置され、前記副装置の前記結合部は内側嵌合部により構成され、前記第２嵌合部は、前記内側嵌合部の外側に嵌合する外側嵌合部により構成され、貯血槽である前記主装置と人工肺である前記副装置とを連結することを特徴とする。
【発明の効果】
【００１５】
本発明の医療用装置の連結構造によれば、医療用の主装置に対して連結部材の第１嵌合部及び第２嵌合部での回動調節を介して副装置を調整することにより、主装置に対する副装置の位置関係及び姿勢の調整の自由度が高い。しかも、連結部材の第２嵌合部が、副装置の結合部の外側に嵌合するため、嵌合周面の径を大きく取ることができ、副装置に対する連結部材の支持力を大きくすることができる。
【図面の簡単な説明】
【００１６】
【図１】本発明の実施の形態における体外循環処理装置の側面図
【図２】同体外循環処理装置の要素である人工肺と連結部材を結合させた状態を示す斜視図
【図３】図２の状態から連結部材を取り外して人工肺のみを示す斜視図
【図４】同人工肺を人工肺本体と保護カバーとに分解した状態を示す斜視図
【図５】同保護カバーを構成して人工肺本体の前面側に装着される第１枠体を示す側面図
【図６】同第１枠体の図５におけるＡ−Ａ線に沿った断面図
【図７】同体外循環処理装置の一要素である連結部材の斜視図
【図８】同連結部材の右側面図
【図９】同連結部材の底面図
【図１０】同連結部材の図８におけるＢ−Ｂ線に沿った断面図
【図１１】図１０に示した連結部材の第２嵌合部と図６に示した人工肺の結合部の結合領域の構造を示す断面図
【発明を実施するための形態】
【００１７】
本発明の医療用装置の連結構造は、上記構成を基本として、以下のような態様をとることができる。
【００１８】
すなわち、前記副装置の前記結合部は、前記内側嵌合部の内側に間隙を形成して小径内筒部が設けられた二重円筒構造を有し、前記連結部材の前記第２嵌合部は、前記外側嵌合部の内側に間隙を形成して大径内筒部が設けられた二重円筒構造を有し、前記大径内筒部は、前記内側嵌合部と前記小径内筒部の間の間隙に進入して、前記小径内筒部の外周面に嵌合可能である構成とすることができる。このような二重円筒構造の二重の嵌合により、連結部材による副装置の支持力を更に向上させることができる。
【００１９】
また、前記第２嵌合部には、前記内側嵌合部と前記外側嵌合部が嵌合した状態で、前記内側嵌合部の周壁との係合により両嵌合部の嵌合の脱離を規制する係止レバーが設けられ、前記係止レバーは、前記外側嵌合部の中心軸方向に延在し、同方向における中間に位置する支軸部において前記外側嵌合部により支持されて、前記支軸部の周りに回動可能であり、前記係止レバーの先端には係止爪が設けられ、前記内側嵌合部の周壁に設けられた係止凹部に前記係止爪が係合しており、その係合により、前記両嵌合部の嵌合の脱離を規制する作用が得られており、前記係止レバーの後端には解放操作部が設けられ、前記解放操作部を前記外側嵌合部の径方向内方に向かって押圧して前記係止レバーを前記支軸部の周りに回動させることにより、前記外側嵌合部に対する前記内側嵌合部の嵌合を脱離させることが可能となる構成とすることができる。このような係止レバーの構造により、解放操作部の操作による係止爪の変位量を大きく取って、係止凹部との係合面積を大きく取ることができ、嵌合の脱離を抑止する作用を十分に確保することができる。それにより、連結部材による副装置の支持をより確実にすることができる。
【００２０】
また、前記連結部材は、前記第１嵌合部の回動の中心軸と前記第２嵌合部の回動の中心軸が、互いに平行であって、相互間に間隔を設けて配置された構成とすることができる。これにより、副装置の位置調整の範囲を十分に大きく取ることができる。
【００２１】
この場合、前記連結部材は、前記第１嵌合部から横方向に延びた横方向延在部と、前記第２嵌合部から上方に延びて前記横方向延在部と結合した縦方向延在部と、前記横方向延在部と前記縦方向延在部が結合した部位に形成された屈曲構造部とを備えた構成とすることができる。
【００２２】
本発明の体外循環処理装置は、上記構成の連結構造を用いて、以下のように構成することができる。すなわち、本体部の底面の中心から外れた一部が下方に突出した貯血室を有し、前記貯血室の下端に血液流出ポートが設けられ、前記本体部の上部に血液流入ポートが設けられた貯血槽と、ガス流路と血液を交差させてガス交換を行うための血液流路を有し、前記貯血槽と連結された人工肺とを備え、上記いずれかに記載の医療用装置の連結構造により、前記貯血槽を前記主装置とし前記人工肺を前記副装置として、前記貯血槽により前記人工肺が支持され、前記連結部材の前記第１嵌合部と結合する前記貯血槽の前記結合部は、前記本体部の底面の前記貯血室から隔たった位置に下方に突出して設けられ、前記第２嵌合部と結合する前記人工肺の前記結合部は、前記人工肺の上部に設けられ、前記第１及び第２嵌合部の前記回動の中心軸は、前記貯血槽の上下方向に延びている体外循環処理装置を構成することができる。
【００２３】
以下、本発明の実施の形態について、図面を参照して説明する。下記の実施の形態では、体外循環処理装置を例として、貯血槽と人工肺を連結するための連結構造が開示される。但し、この連結構造は、貯血槽及び人工肺の組合わせへの適用に限定されることなく、相互の位置関係及び姿勢の調整の自由度を必要とする種々の医療用の主装置と副装置の連結に適用可能である。
【００２４】
＜実施の形態＞
図１は、本発明の一実施の形態における体外循環処理装置を示す斜視図である。この体外循環処理装置は、体外血液循環回路中に組み込んで用いられるものであり、貯血槽１と人工肺２を連結部材３により連結して構成されている。貯血槽１に連結されていない状態の、人工肺２と連結部材３が結合された構造体を、図２に斜視図で示す。さらに、図２の状態から連結部材３を取り外した人工肺２のみの構造を、図３に斜視図で示す。
【００２５】
貯血槽１は、本体部４と、本体部４の上部に載置された蓋体５とを有する。本体部４は、その底面の中心から外れた一部が下方に突出して形成された貯血室６を有し、貯血室６の下端には、血液が流出する血液流出ポート７が設けられている。本体部４の底面の貯血室６から隔たった位置に、下方に突出させて円筒状の結合部８が設けられている。この結合部８には、連結部材３の一端側に設けられた第１嵌合部９が嵌合している。連結部材３の他端側には第２嵌合部１０が設けられ、人工肺２に設けられた結合部１５と嵌合する。これにより、貯血槽１と人工肺２が連結部材３により連結される。
【００２６】
図２に示すように、連結部材３の第１嵌合部９は、円筒状内周面１１を有する。図１に示す貯血槽１の結合部８には、円筒状外周面８ａを形成する領域が設けられ、この領域に、円筒状内周面１１が嵌合している。この嵌合を介して、連結部材３は、貯血槽１に対して回動自在に支持される。この嵌合構造については図示を省略するが、例えば、結合部８には、円筒状外周面８ａと円筒状内周面１１の嵌合を保持するための機構が設けられる。
【００２７】
貯血槽１の結合部８は、さらに、貯血槽１を支持するための支持装置の一部を構成するホルダ１２と結合させる部位を有し、それにより、貯血槽１を所望の状態に支持することができる。また、図示は省略するが、蓋体５には、心内血が流入する複数の心内血流入ポートと、静脈血が流入する静脈血流入ポート、薬液等を血液に混入するための複数の薬液注入ポート、貯血槽１内の圧力を調整するための排気ポート等が設けられている。
【００２８】
貯血槽１は、周知の構成と同様、静脈血流入ポートから流入する血液を濾過する静脈血濾過網が槽内に保持され、また、心内血流入ポートから流入する血液から除泡するためのカーディオトミー部が配置された構成とすることができる。
【００２９】
人工肺２の構造は、図１〜図３に加え、図４〜図６にも示される。図２等に示すように、人工肺２は、人工肺本体１３のハウジングの外側に、保護カバー１４が装着された構造を有する。この構造は、人工肺２を、人工肺本体１３と保護カバー１４とに分解した状態を示す図４から良く判る。図４における、人工肺本体１３の前面側に装着される第１枠体１４ａと、後面側に装着される第２枠体１４ｂとを組み合わせた構造体が保護カバー１４である。
【００３０】
図３等に示すように、第１枠体１４ａの上部には、連結部材３と結合する結合部１５が設けられている。連結部材３と人工肺２は、結合部１５での嵌合を介して相互に回動可能である。第１枠体１４ａの側面図を図５に示す。第１枠体１４ａには、係合爪１６が設けられ、人工肺本体１３に装着されたときに、第２枠体１４ｂに設けられた係合穴１７（図４参照）と係合して一体化する。
【００３１】
結合部１５の構造を図６に示す。図６は、図５におけるＡ−Ａ断面図であり、結合部１５を含む第１枠体１４ａの一部を示す。結合部１５は、基本的には、円筒状の内側嵌合部１８により構成され、この部分の外側に連結部材３の第２嵌合部１０が嵌合することにより、主結合が形成される。内側嵌合部１８の周壁外面には、係止凹部１９が設けられている。結合部１５には更に、内側嵌合部１８の内側に、間隙２０を形成して小径内筒部２１が設けられて、二重円筒構造となっている。
【００３２】
人工肺本体１３は、熱交換部２２及びガス交換部２３を有し（図１、図４参照）、ハウジング内にそれぞれ熱交換及びガス交換のための周知の構成を有する要素が収納されている。熱交換部２２及びガス交換部２３を水平方向に貫通する血液流路が形成され、その血液流路の両端に対応する人工肺本体１３のハウジングの外殻壁に、血液の流入、流出用の血液ポート２４、２５が設けられている。熱交換部２２の左右端部には各々、熱交換液である冷水または温水を流入出させるための冷温水ポート２６、２７（図２参照）が設けられている。ガス交換部２３の上下端部には各々、酸素含有ガスを導入、導出するためのガスポート２８、２９が設けられている。
【００３３】
図示は省略するが、熱交換部２２の内腔には、熱交換のためのステンレスパイプ束が配置されている。ガス交換部２３の内腔には中空糸膜の束である中空糸束が配置されている。ステンレスパイプ束及び中空糸束の外周領域には、両端は露出させてシール部材が充填され、その内腔が、ステンレスパイプ束及び中空糸束を水平方向に横断して延在する円筒状の血液流路を形成している。
【００３４】
冷温水ポート２６から流入する熱交換液である冷水または温水は、各ステンレスパイプの一端から進入し、各ステンレスパイプの他端を経由して冷温水ポート２７から流出する。その間に、血液流路を流れる血液との間で熱交換が行われる。一方、ガスポート２８から流入する酸素含有ガスは、各中空糸膜の一端から進入し、各中空糸膜の他端を経由してガスポート２９から流出する。その間に、血液流路を流れる血液との間でガス交換が行われる。
【００３５】
なお、この人工肺２の構成は一例であり、他の構成であっても、本実施の形態の貯血槽との連結構造を適用することができる。人工肺２は、熱交換部２２及びガス交換部２３から構成されているものに限らず、ガス交換部２３のみで構成されていても、本実施の形態の連結構造を適用可能である。
【００３６】
連結部材３の構造を、図７〜図９に示す。図７は、連結部材３の斜視図、図８は、右側面図、図９は、底面図である。上述のとおり、連結部材３は、第１嵌合部９及び第２嵌合部１０を有し、両嵌合部を一体的に結合させた構造を有する。第１嵌合部９は貯血槽１の結合部８と嵌合し、第２嵌合部１０は人工肺２の結合部１５と嵌合する。連結部材３は、例えば、ポリカーボネートにより作製することができる。
【００３７】
連結部材３は、第１、第２嵌合部９、１０を一体化させる構造として、第１嵌合部９から横方向に延びた横方向延在部３０と、第２嵌合部１０から上方に延びて横方向延在部３０と結合した縦方向延在部３１とを有する。この構造により、第１嵌合部９の回動の中心軸と第２嵌合部１０の回動の中心軸は、互いに平行であって、相互間に間隔を設けて配置された構成となっている。
【００３８】
横方向延在部３０と縦方向延在部３１が結合した部位に形成された屈曲構造部の外角部は、傾斜面３２を形成している。それにより、貯血槽１に対して連結部材３を回動させる際の、貯血室６の側面との干渉を回避し易い構造となっている。第２嵌合部１０の上部の縦方向延在部３１の側部には、係止レバー３３が設けられて係止操作部を構成している。
【００３９】
係止レバー３３は、第２嵌合部１０が人工肺２の結合部１５と嵌合した状態で、内側嵌合部１８の周壁との係合により両嵌合部の嵌合の脱離を規制するように構成されている。係止レバー３３は、第２嵌合部１０の中心軸方向に延在し、同方向における中間に位置する支軸部３４（図８）において第２嵌合部１０により支持されて、支軸部３４の周りに回動可能である。係止レバー３３の先端には係止爪３５が設けられ、結合部１５における内側嵌合部１８の係止凹部１９に係合することにより、第２嵌合部１０と結合部１５の嵌合の脱離が抑止される。
【００４０】
係止レバー３３の後端には、解放操作部３６が設けられている。解放操作部３６を第２嵌合部１０の内方に向かって押圧して、係止レバー３３を支軸部３４の周りに回動させることができる。それにより係止爪３５の係止凹部１９に対する係合が外れて、第２嵌合部１０と結合部１５の嵌合を脱離させることが可能な状態となる。
【００４１】
第２嵌合部１０の断面構造について更に、図９、図１０を参照して説明する。図１０は、連結部材３の図８におけるＢ−Ｂ線に沿った断面図である。第２嵌合部１０は、基本的には外側嵌合部３７により構成され、この部分が、人工肺２の結合部１５の内側嵌合部１８の外側に嵌合することにより、主結合が形成される。第２嵌合部１０には更に、外側嵌合部３７の内側に、間隙３８を形成して大径内筒部３９が設けられて、二重円筒構造が形成されている。大径内筒部３９は、人工肺２の結合部１５における内側嵌合部１８と小径内筒部２１の間の間隙２０に進入して、小径内筒部２１の外周面に嵌合可能である。これにより、補助嵌合が形成される。
【００４２】
図１０に示した連結部材３の第２嵌合部３７と、図６に示した人工肺２の結合部１５の結合領域の構造を、図１１に示す。連結部材３の外側嵌合部３７の内周面と、結合部１５の内側嵌合部１８の外周面とが嵌合している。更に、連結部材３の大径内筒部３９の内周面と、結合部１５の小径内筒部２１の外周面が嵌合している。そして、係止レバー３３の先端の係止爪３５が、結合部１５の内側嵌合部１８の係止凹部１９に係合している。
【００４３】
このように、人工肺２の結合部１５に内側嵌合部１８を設け、連結部材３の外側嵌合部３７が外側から嵌合する構造を採用することにより、嵌合する周面の径を大きくとることができる。すなわち、人工肺２の側では、人工肺２のサイズによる制約を受けるため、結合部１５の内径寸法を大きくとることは困難であるのに対し、連結部材３の側にサイズの制約は無いので、外側嵌合部３７の内径を大きくすることは可能だからである。嵌合周面の径を大きく取れることにより、相互の接触面積が大きくなり、人工肺２に対する連結部材３の支持力が大きく、安定した嵌合状態が得られる。
【００４４】
また、第２嵌合部１０が、外側嵌合部３７と大径内筒部３９からなる二重円筒構造であり、人工肺２の結合部１５が、内側嵌合部１８と小径内筒部２１からなる二重円筒構造であるため、二重に嵌合した状態が得られる。すなわち、主嵌合及び補助嵌合によりそれぞれ結合して、支持力を更に大きくすることができる。
【００４５】
以上のような連結構造により、連結部材３は貯血槽１に対して、第１嵌合部９の円筒状内周面１１の上下方向に延びる中心軸の周りに回動可能である。また、人工肺２は連結部材３に対し、第２嵌合部１０の外側嵌合部３７の上下方向に延びる中心軸の周りに回動可能である。そして、連結部材３の円筒状内周面１１（第１嵌合部９）の中心軸と外側嵌合部３７（第２嵌合部１０）の中心軸は、相互間に間隔を設けて配置されているので、人工肺２は、第２嵌合部１０の中心軸の周りに自転することが可能であることに加えて、貯血槽１の結合部８の周りに公転することが可能である。
【００４６】
これにより、貯血槽１の結合部８の周りにおける連結部材３の回動角度位置を調整して、貯血槽１の周囲の広い範囲に亘って、人工肺２の位置を設定可能である。さらに、第２嵌合部１０の周りにおける人工肺２の回動回動角度を調整することにより、人工肺２の姿勢（向き）を広い範囲に亘って設定可能である。このように、連結部材３による簡素な連結構造でありながら、双方の設定を組合わせれば、貯血槽１と人工肺２の相互の位置関係及び姿勢の調整の自由度を十分に向上させることができる。
【産業上の利用可能性】
【００４７】
本発明の医療用装置の連結構造によれば、医療用の主装置に対する副装置の位置関係及び姿勢の調整の自由度が高く、しかも副装置に対する支持力を十分に得ることが可能であり、例えば体外血液循環回路を構成するために有用である。
【符号の説明】
【００４８】
１  貯血槽
２  人工肺
３  連結部材
４  本体部
５  蓋体
６  貯血室
７  血液流出ポート
８、１５  結合部
８ａ  円筒状外周面
９  第１嵌合部
１０  第２嵌合部
１１  円筒状内周面
１２  ホルダ
１３  人工肺本体
１４  保護カバー
１４ａ、１４ｂ  第１、第２枠体
１６  係合爪
１７  係合穴
１８  内側嵌合部
１９  係止凹部
２０、３８  間隙
２１  小径内筒部
２２  熱交換部
２３  ガス交換部
２４、２５  血液ポート
２６、２７  冷温水ポート
２８、２９  ガスポート
３０  横方向延在部
３１  縦方向延在部
３２  傾斜面
３３  係止レバー
３４  支軸部
３５  係止爪
３６  解放操作部
３７  外側嵌合部
３９  大径内筒部
【図１】
0005817619.tif 000002
【図２】
0005817619.tif 000003
【図３】
0005817619.tif 000004
【図４】
0005817619.tif 000005
【図５】
0005817619.tif 000006
【図６】
0005817619.tif 000007
【図７】
0005817619.tif 000008
【図８】
0005817619.tif 000009
【図９】
0005817619.tif 000010
【図１０】
0005817619.tif 000011
【図１１】
0005817619.tif 000012